(57)【特許請求の範囲】
【請求項１】
人体から排泄される排泄物を処理する処理装置であって、
前身頃と、後身頃と、前記前身頃と前記後身頃とを接続する股部とを有し、前記人体の臀部側から股間を経て下腹部に向かうとともに、少なくとも前記人体の肛門及び外性器を覆うように広がって前記人体に装着され、前記肛門又は前記外性器の少なくとも一方から排出された前記排泄物を処理するための本体部と、
前記前身頃から前記人体に向けて隆起する弾性変形可能な略Ｕ字状の前隆起部と、前記前隆起部に接続するとともに、前記股部から前記人体に向けて隆起する弾性変形可能な一対の直線状の股隆起部と、前記股隆起部に接続するとともに、前記後身頃から前記人体に向けて隆起する弾性変形可能な略Ｕ字状の後隆起部と、を有する隆起部と、
前記隆起部の少なくとも一部に沿うように隣接して位置し、外部から供給される空気により膨出可能なエアークッション部と、
前記人体の体圧を検出する検出部と、
前記検出部が検出する前記体圧に応じて前記エアークッション部に供給する空気を制御する制御部と、
を備え、
前記人体に前記本体部が装着されると、
前記隆起部は、
前記人体の右足内側の付け根部分から前記人体の右半身側を通って前記臀部側に延びた後、前記右半身側から前記人体の左半身側に延びて前記左半身側を通って前記人体の左足内側の付け根部分まで前記肛門の周辺部に沿って位置するとともに、
前記人体の右足内側の付け根部分から前記人体の右半身側を通って前記下腹部側に延びた後、前記右半身側から前記左半身側に延びて前記左半身側を通って前記左足内側の付け根部分まで前記外性器の周辺部に沿って位置する、排泄物処理装置。
【請求項２】
前記エアークッション部は、
少なくとも前記股隆起部及び前記後隆起部の外側において前記股隆起部及び前記後隆起部に沿って位置する、請求項１に記載の排泄物処理装置。
【請求項３】
前記エアークッション部は、
一端部と、
他端部と、
前記一端部から前記他端部に向けて区画されて、前記外部から供給される前記空気により個別に膨出可能である複数の袋状空間と、
を有し、
前記制御部は、
複数の前記袋状空間の各前記袋状空間に供給する前記空気を個別に制御可能であり、前記体圧に応じて複数の各前記袋状空間に供給する前記空気を制御する、請求項１又は２に記載の排泄物処理装置。
【請求項４】
複数の前記袋状空間は、
少なくとも前記右足内側の付け根部分から前記右半身側を通って前記臀部側に延びる部分に対応する前記隆起部の外側に沿って位置する第１袋状空間と、
少なくとも前記左足内側の付け根部分から前記左半身側を通って前記臀部側に延びる部分に対応する前記隆起部の外側に沿って位置する第２袋状空間と、
一端と他端を有して、前記一端が前記第１袋状空間に隣接するとともに、前記他端が前記第２袋状空間に隣接して位置する第３袋状空間と、
を備え、
前記第３袋状空間は、前記一端において前記第１袋状空間との境界が接するとともに、前記他端において前記第２袋状空間との境界が接する、請求項３の排泄物処理装置。
【請求項５】
前記袋状空間は、前記外部から供給される前記空気によって、少なくとも前記股隆起部又は前記後隆起部が隆起する高さ以上に膨出可能である、請求項３又は４に記載の排泄物処理装置。
【発明の詳細な説明】
【技術分野】
【０００１】
本発明は、排泄物処理装置に関する。
【背景技術】
【０００２】
例えば、特許文献１には、寝た状態で用便ができ、用便後の処理も寝たまま行うことができる排泄物処理装置が開示される。
【先行技術文献】
【特許文献】
【０００３】
【特許文献１】特許第４６４３５２３号
【発明の概要】
【発明が解決しようとする課題】
【０００４】
特許文献１の装置では、オムツ状のケーシングを装着した状態で用便をするため、例えば、横向きに寝た状態で用便をすると、オムツ状のケーシングと人体との間に隙間が生じ、用便が漏れてしまう場合がある。
【０００５】
本発明の課題は、排泄物が漏れるのを抑制可能な排泄物処理装置を提供することにある。
【課題を解決するための手段及び発明の効果】
【０００６】
本発明の排泄物処理装置は、
人体から排泄される排泄物を処理する処理装置であって、
前身頃と、後身頃と、前身頃と後身頃とを接続する股部とを有し、人体の臀部側から股間を経て下腹部に向かうとともに、少なくとも人体の肛門及び外性器を覆うように広がって人体に装着され、肛門又は外性器の少なくとも一方から排出された排泄物を処理するための本体部と、
前身頃から人体に向けて隆起する弾性変形可能な略Ｕ字状の前隆起部と、前隆起部に接続するとともに、股部から人体に向けて隆起する弾性変形可能な一対の直線状の股隆起部と、股隆起部に接続するとともに、後身頃から人体に向けて隆起する弾性変形可能な略Ｕ字状の後隆起部と、を有する隆起部と、
隆起部の少なくとも一部に沿うように隣接して位置し、外部から供給される空気により膨出可能なエアークッション部と、
人体の体圧を検出する検出部と、
検出部が検出する体圧に応じてエアークッション部に供給する空気を制御する制御部と、
を備え、
人体に本体部が装着されると、
隆起部は、
人体の右足内側の付け根部分から人体の右半身側を通って臀部側に延びた後、右半身側から人体の左半身側に延びて左半身側を通って人体の左足内側の付け根部分まで肛門の周辺部に沿って位置するとともに、
人体の右足内側の付け根部分から人体の右半身側を通って下腹部側に延びた後、右半身側から左半身側に延びて左半身側を通って左足内側の付け根部分まで外性器の周辺部に沿って位置する。
【０００７】
本発明の排泄物処理装置においては、例えば、人が横向きに寝ている場合には、横向きで寝ている体圧分布が検出部により検出され、検出部により検出される体圧により本体部を装着した人の姿勢を把握できる。また、弾性変形可能な隆起部の少なくとも一部に沿うようにエアークッション部が隣接して位置するため、本体部を装着した人の姿勢に応じてエアークッション部に空気を供給することで、エアークッション部が隆起部の少なくとも一部に隣接する壁のような機能を果たす。そのため、例えば、人が横向きに寝た際に隆起部の少なくとも一部が変形することで、隆起部と人との間に排泄物が漏れる隙間が仮に生じたとしても、エアークッション部により隙間を埋めることが可能となり、排泄物の漏れを抑制可能となる。
【０００８】
本発明の実施態様では、
エアークッション部は、
少なくとも股隆起部及び後隆起部の外側において股隆起部及び後隆起部に沿って位置してもよい。
【０００９】
これによれば、本体部を装着した人が横向きに寝て排便した際に、排泄物が漏れやすい箇所にエアークッション部が位置する。そのため、排泄物の漏れを効果的に抑制することが可能となる。
【００１０】
本発明の実施態様では、
エアークッション部は、
一端部と、
他端部と、
一端部から他端部に向けて区画されて、外部から供給される空気により個別に膨出可能である複数の袋状空間と、
を有し、
制御部は、
複数の袋状空間の各袋状空間に供給する空気を個別に制御可能であり、体圧に応じて複数の各袋状空間に供給する空気を制御してもよい。
【００１１】
これによれば、エアークッション部における複数の各袋状空間に対して供給する空気を個別に制御する。エアークッション部における各袋状空間を個別に制御するため、排泄物が漏れる可能性が高い袋状空間に重点的に空気を供給することで、排泄物の漏れをより効果的に抑制可能となる。
【００１２】
本発明の実施態様では、
複数の袋状空間は、
少なくとも右足内側の付け根部分から右半身側を通って臀部側に延びる部分に対応する隆起部の外側に沿って位置する第１袋状空間と、
少なくとも左足内側の付け根部分から左半身側を通って臀部側に延びる部分に対応する隆起部の外側に沿って位置する第２袋状空間と、
一端と他端を有して、一端が第１袋状空間に隣接するとともに、他端が第２袋状空間に隣接して位置する第３袋状空間と、
を備え、
第３袋状空間は、一端において第１袋状空間との境界が接するとともに、他端において第２袋状空間との境界が接してもよい。
【００１３】
これによれば、例えば、本体部を装着した人が右脇腹を下にして寝ることで、隆起部の少なくとも一部が変形し、隆起部と人との間に排泄物が漏れる隙間が仮に生じたとしても、右脇腹を下にして寝た際に隙間ができやすい箇所に対応する第１袋状空間に空気を供給することで、その隙間を塞ぐことが可能となる。よって、排泄物の漏れを抑制できる。同様に、本体部を装着した人が左脇腹を下にして寝た場合には、第２袋状空間により排泄物の漏れを抑制できる。また、第３袋状空間により、背中側からによる排泄物の漏れも抑制できる。
【００１４】
本発明の実施態様では、
袋状空間は、外部から供給される空気によって、少なくとも股隆起部又は後隆起部が隆起する高さ以上に膨出可能としてもよい。
【００１５】
これによれば、少なくとも股隆起部又は後隆起部が隆起する高さ以上に袋状空間が膨出するため、本体部を装着した人の姿勢により、股隆起部や後隆起部と人との間に排泄物が漏れる隙間が仮に生じたとしても、エアークッション部により隙間を埋めやすくなる。
【図面の簡単な説明】
【００１６】
【図１】本発明の排泄物処理装置の一例を示す模式斜視図。
【図２】図１のとは異なる角度から見た排泄物処理装置の模式斜視図。
【図３】図１の排泄物処理装置の模式右側面図。
【図４】クッション部材の変形例を示す模式図。
【発明を実施するための形態】
【００１７】
図１は本発明の一例の排泄物処理装置１を示す。排泄物処理装置１は、例えば、寝たきりの被介護者などが寝たまま用便ができ、用便した後の処理も寝たまま行うことができる装置である。排泄物処理装置１は、寝たきりの被介護者などの使用者に装着する本体部２と、本体部２を使用者に固定するための帯状部材３と、使用者が本体部２に用便した排泄物を処理等するために本体部２を制御する制御装置４と、を備える。
【００１８】
本体部２は、使用者に装着される装着部材５と、装着部材５を装着した使用者の排泄物を処理する処理部６と、装着部材５を支持する支持部材７と、を備える。
【００１９】
装着部材５は、おむつ状に構成される。装着部材５は、例えば、弾性変形可能なゴム等の素材により構成される。装着素材５は、前身頃５ａと、後身頃５ｂと、前身頃５ａと後身頃５ｂとを接続する股部５ｃとを有する。前身頃５ａ及び後身頃５ｂの中央、並びに、股部５ｃの中央には、処理部６が取り付けられる。前身頃５ａの表面（図１に図示される面）には、下記の帯状部材３における面ファスナー１０ａと着脱可能な面ファスナーＦが取り付けられる。後身頃５ｂの表面（図１に図示される面と反対側の面）には、支持部材７が取り付けられる。図示省略してあるが、後身頃５ｂの表面には、帯状部材３を取り付け可能な面ファスナーが備わる。装着部材５には、図２に示すように、前身頃５ａ、股部５ｃ及び後身頃５ｂを跨ぐように装着部材５の中央部を囲むように隆起部８が形成される。更に、装着部材５には、隆起部８の外側の一部区間に沿うようにエアークッション部材９が備わる。
【００２０】
図１に戻って、処理部６は、装着部材５を装着した使用者の排泄物を処理するための機構である。処理部６は、排泄物を受ける受け皿となる収容容器６ａと、男性使用者の陰茎などを収める空間かつ男性使用者などの尿を受けて収容容器６ａに導く凹部６ｂ（図２）と、収容容器６ａに繋がる吸引管６ｃ（図１では一部のみ図示）及びシャワー用給水管６ｄ（図１では一部のみ図示）などを有する。収容容器６ａは、股部５ｃと後身頃５ｂに跨って股部５ｃの中央から後身頃５ｂの中央に取り付けられる略Ｌ字状の容器である。収容容器６ａは、後身頃５ｂ及び股部５ｃの中央部に取り付けられ、後身頃５ｂの裏面側（図１に図示される面）の中央部に使用者の排泄物を受ける窪みが形成される。また、股部５ｃの裏面側の中央部にも使用者の排泄物を受ける窪みが形成される。そのため、収容容器６ａは略Ｌ字状に窪みが形成された容器となる。また、収容容器６ａには、凹部６ｂ、吸引管６ｃ及びシャワー用給水管６ｄが接続する。凹部６ｂは、前身頃５ａと股部５ｃに跨って股部５ｃの中央から前身頃５ａの中央に取り付けられる略Ｌ字状の空間である。凹部６ｂは、前身頃５ａ及び股部５ｃの表面側に向かって窪んだ窪み形状であり、装着部材５を装着した男性の陰茎などが収まるための空間である。凹部６ｂは、収容容器６ａと繋がり、前身頃５ａから股部５ｃを経て後身頃５ｂにかけて略Ｕ字状の窪みが形成される。吸引管６ｃは、収容容器６ａに排出された排泄物などを吸引モーターなどの動力源（図示省略）を用いて吸引するための管である。シャワー用給水管６ｄは、排泄物を排出した肛門や外性器を洗浄する洗浄用水をポンプなどの動力源（図示省略）を用いて肛門や外性器に向けて注ぐための管である。図示省略してあるが、その他にも収容容器６ａには、収容容器６ａ内に排泄された便を吸引しやすくするための洗浄水を流す管や、収容容器６ａ内に排泄された排泄物を検知する赤外線センサーなどが取り付けられる。
【００２１】
後身頃５ｂの表面（図１に図示される面と反対側の面）側には、図３に示すように、支持部材７が取り付けられる。支持部材７は、後身頃５ｂに取り付けられた収容容器６ａに連なるように取り付けられる。支持部材７は、支持部材７に接続する収容容器６ａの下面と支持部材７との間に段差ができず、支持部材７の下面と収容容器６ａの下面が面一状になるように支持部材７が取り付けられる。使用者が装着部材５を装着してベッドのマットレスに仰向けに寝る場合は、前身頃５ａ側ではなく、後身頃５ｂを下にしてマットレスに仰向けになる。支持部材７と収容容器６ａの下面との間に段差がないことで、使用者が寝た際の寝心地が良くなる。
【００２２】
図２に戻って、収容容器６ａ及び凹部６ｂにより形成される略Ｕ字状の窪みの縁部には、前身頃５ａ、後身頃５ｂ、股部５ｃの各裏面（図２に図示される面）から隆起する隆起部８が形成される。隆起部８は、例えば、弾性変形可能なクッション素材又はゴム素材として構成される。隆起部８は、前身頃５ａに形成される略Ｕ字状の前隆起部８ａと、股部５ｃに形成される一対の直線状の股隆起部８ｂと、後身頃５ｂに形成される略Ｕ字状の後隆起部８ｃ（図１）と、を有する。図２に示すように前隆起部８ａと股隆起部８ｂが接続するとともに、図１に示すように股隆起部８ｂと後隆起部８ｃが接続し、図２に示すように隆起部８全体として輪っか状に形成される。なお、隆起部８の横幅は、図２の前隆起部８ａ及び股隆起部８ｂより図１の後隆起部８ｃの横幅が広く設定される。
【００２３】
図２に示すように隆起部８の外周の一区間を除いて、隆起部８の外側にはエアークッション部材９が配置される。エアークッション部材９は、図２における前隆起部８ａの外周右側に位置する一端部９ａから、前隆起部８ａの外周左側に位置する他端部９ｂに向けて複数（ここでは、３つ）の袋状空間Ｓ１〜Ｓ３に区画される。図示省略してあるが、各袋状空間Ｓ１〜Ｓ３は、外部から空気を供給したり、各袋状空間Ｓ１〜Ｓ３内部の空気を吸引したりするための管が接続される。図示省略する駆動源により、各袋状空間Ｓ１〜Ｓ３への空気の供給や吸引がされる。外部から供給される空気により各袋状空間Ｓ１〜Ｓ３が膨出可能である。また、各袋状空間Ｓ１〜Ｓ３内部の空気が吸引されることで、各袋状空間Ｓ１〜Ｓ３が収縮可能である。第１袋状空間Ｓ１は、図２において、一端部９ａから前隆起部８ａの右側外周、股隆起部８ｂの右側外周を経て、後隆起部８ｃの右側外周の途中まで延びる袋状の空間である。第２袋状空間Ｓ２は、図２において、他端部９ｂから前隆起部８ａの左側外周、股隆起部８ｂの左側外周を経て、後隆起部８ｃの左側外周の途中まで延びる袋状の空間である。第３袋状空間Ｓ３は、一端Ｅ１が第１袋状空間Ｓ１に隣接するとともに、他端Ｅ２が第２袋状空間Ｓ２に隣接して位置する略Ｕ字の袋状の空間である。各袋状空間Ｓ１〜Ｓ３及び隆起部８は、装着部材５の裏面（図２に図示される面）から隆起するように位置する。各袋状空間Ｓ１〜Ｓ２は、隆起部８が隆起する高さ以上に膨出して位置する。
【００２４】
図１に戻って、本体部２には帯状部材３が取り付けられる。帯状部材３は、使用者に装着された本体部２を固定するための部材である。帯状部材３は、帯本体１０と、帯本体に収容される感圧センサー１１と、を有する。帯本体１０は略矩形状に形成される。帯本体１０は、感圧センサー１１を内部に収容可能な収容部と（図示省略）、帯本体１０の表裏に形成される面ファスナー１０ａと、を有する。面ファスナー１０ａは、帯本体１０の両端部（一端部と他端部）の表裏と、帯本体３の中央部の表面に形成される（帯本体３の中央部の表面の面ファスナーは図示省略）。例えば、帯本体１０の表面には、雄型の面ファスナー１０ａ、帯本体の裏面には雌型の面ファスナーが形成される。帯本体１０における左右の面ファスナー１０ａを前身頃５ａの表面に形成された左右の面ファスナーＦに重ねることで、帯本体１０が装着部材５に重なった状態で固定される。感圧センサー１１は、帯本体１０の収容部に収容可能なシート状に形成された周知の圧力センサーである。感圧センサー１１は、弾性変形可能なシート状に形成されたセンサシートと、一端がセンサシートに接続するとともに、制御装置４に接続されるコネクタと、を有する。センサシートは、使用者が横になった際に、センサシートに加えられた使用者の腰部周辺の体圧分布（使用者がベッドなどに横になった際に使用者の身体表面に加わる圧力の分布）を検出し、コネクタを通じて体圧分布を制御装置４に送信する。
【００２５】
制御装置４は、使用者が収容容器６ａに用便した排泄物の処理、エアークッション部材９への空気の供給・吸引などを制御するための装置である。制御装置４は、ＣＰＵ、ＲＡＭ及びＲＯＭ、並びにそれらを接続するバスと、バスが接続するＩ／Ｏポートと、を備える。ＣＰＵは、データ通信等の情報処理の全般を司り、ＲＡＭは、ＣＰＵの作業領域として機能する揮発性の記憶部である。ＲＯＭは、制御装置４で必要な処理をするためのデータ及びソフトウェア（プログラム）を記憶する不揮発性の記憶部である。ＲＯＭには、外部から送信されるデータを処理するプログラムなどが格納される。例えば、収容容器６ａ内に排泄された排泄物を検知するセンサーから送信される信号や、収容容器６ａ内の排泄物の処理や、肛門・外性器の水洗浄や乾燥などを手動で操作するコントトーラーから送信される信号に応じて、シャワー用給水管６ｄから肛門や外性器に水を注いだり、収容容器６ａ内に排泄された便などを吸引しやすくするための洗浄液を流したり、吸引管６ｃにより収容容器６ａ内の排泄物や水などを吸引する洗浄プログラムが格納される。また、感圧センサー１１から制御装置４に送信される使用者の体圧分布に応じて、エアークッション部材９の第１〜第３袋状空間Ｓ１〜Ｓ３に対して空気の供給や吸引をするエアークッション制御プログラムが格納される。
【００２６】
以上の構成をする排泄物処理装置１により使用者が寝たまま用便ができ、用便後の処理も行うことができる。排泄物処理装置１を使用する場合には、介護者が被介護者などの使用者に本体部２及び帯状部材３を装着する。介護者は、仰向けに寝ている使用者のおむつや下着などを取り外した上で、使用者の腰を上方に浮かせ、前身頃５ａ側と後身頃５ｂ側及び帯状部材３側が使用者の股と対向するように使用者の股下側に本体部２などを準備する。そして、使用者の腰の下に帯状部材３、後身頃５ｂ及び支持部材７などを差し入れるとともに、前身頃５ａ及び股部５ｃにより使用者の外性器やその周辺を覆うように包み込む。この状態で本体部２は、使用者の臀部側から股間を経て下腹部に向かうとともに、少なくとも人体の肛門及び外性器を覆うように広がって使用者（人体）に装着される。また、本体部２における隆起部８は、使用者の右足内側の付け根部分から人体の右半身側を通って臀部側に延びた後、右半身側から人体の左半身側に延びて左半身側を通って人体の左足内側の付け根部分まで肛門の周辺部に沿って使用者に接触するように、本体部２から使用者に向けて隆起する。同様に、隆起部８は、使用者の右足内側の付け根部分から人体の右半身側を通って臀部側における下腹部側に延びた後、右半身側から下腹部側の左半身側に延びて左半身側を通って左足内側の付け根部分まで外性器の周辺部に沿って使用者に接触するように、本体部２から使用者に向けて隆起する。そして、隆起部８の外側に隆起部８に沿うようにエアークッション部材９が位置する。また、帯状部材３上の中央部に使用者の腰及びその周辺部が載せられた状態となる。介護者は使用者に装着された本体部２がずれるのを防ぐために、帯状部材３の一端部と他端部の面ファスナー１０ａを前身頃５ａの両側にある面ファスナーＦに向けて折り畳み、本体部２を使用者に固定する。この状態で、使用者の腰回りには帯状部材３が取り付けられる。また、本体部２に接続する吸引管６ｃ、シャワー用給水管６ｄなどの管や帯状部材３の感圧センサー１１のコネクタなどが使用者の股下側から各装置や制御装置４などに向けて延びる。
【００２７】
以上のようにして介護者が使用者に対して本体部２を装着すると、使用者は適宜、排泄をする。使用者が排泄をする際には、使用者は寝たまま排泄することになるが、使用者によっては、右側又は左側を下にした横寝の状態で排泄をする等、様々な姿勢で排泄をする。排泄をする際に様々な姿勢をとる使用者の腰回りには、帯状部材３が取り付けられ、帯状部材３の感圧センサー１１も使用者の腰回りに巻き付くように位置する。そのため、使用者が寝ている姿勢に応じて感圧センサー１１に加えられる体圧分布が変化することになる。例えば、使用者が仰向けで寝ている場合には、図１における感圧センサー１１の中央部に重点的に体圧かかり、使用者が右側を下にして横寝している場合には、感圧センサー１１の右側に重点的に体圧がかかり、使用者が左側を下にして横寝している場合には、感圧センサー１１の左側に重点的に体圧がかかる。このようにし、感圧センサー１１は、使用者の寝ている姿勢に応じた体圧分布を常時検出し、体圧分布データを制御装置４に送信する。制御装置４では、感圧センサー１１から送信された体圧分布データに応じてエアークッション部材９の第１〜第３袋状空間Ｓ１〜Ｓ３に供給する空気を制御する。例えば、図１における感圧センサー１１の右側に重点的に体圧がかかっている場合は、使用者が右側を下にして横寝しているとして、第１袋状空間Ｓ１及び第３袋状空間Ｓ３に空気を供給する。同様に、図１における感圧センサー１１の左側に重点的に体圧がかかっている場合は、使用者が左側を下にして横寝しているとして、第２袋状空間Ｓ２及び第３袋状空間Ｓ３に空気を供給する。また、図１における感圧センサー１１の中央部に重点的に体圧がかかっている場合は、使用者が仰向けで寝ているとして、第１〜第３袋状空間Ｓ１〜Ｓ３の全てに空気を供給する。使用者の姿勢が変化した場合には、使用者に姿勢に応じて、各袋状空間Ｓ１〜Ｓ３に空気を供給したりする。使用者の姿勢が変化して空気を供給する必要がなくなった袋状空間Ｓ１〜Ｓ３については、袋状空間Ｓ１〜Ｓ３から空気を吸引する。
【００２８】
使用者の寝ている姿勢に応じてエアークッション部材９に供給する空気を制御し、各袋状空間Ｓ１〜Ｓ３を膨出させる。そして、使用者が寝た状態で用便をすると、センサーにより排泄物を感知して、又は、介護者等が手動でコントローラーを制御し、排泄物の吸引や使用者の肛門・外性器の洗浄及び乾燥をする。
【００２９】
介護者が使用者に本体部２や帯状部材３を装着する際、場合によっては、本体部２の装着が不十分で、装着した本体部２の隆起部８と使用者との間に隙間が生じる場合がある。また、本体部２や帯状部材３を使用者に正しく装着できたとしても、使用者が寝返りを打つなどして、使用者が寝姿勢をかえると、弾性変形可能な隆起部８が使用者の姿勢に応じて変形し、場合によっては、隆起部８と使用者との間に隙間が生じる場合がある。特に、使用者の体圧が重点的にかかる個所やその周辺における隆起部８などは他の箇所に比べて大きく変形する。そのため、例えば、使用者が右側を下にして横寝している場合には、第１袋状空間Ｓ１に沿うように延びる隆起部８が大きく変形しやすくなり、第１袋状空間Ｓ１に隣接する隆起部８と使用者との間に隙間が生じやすくなる。同様に、例えば、使用者が左側を下にして横寝している場合には、第２袋状空間Ｓ２に隣接する隆起部８と使用者との間に隙間が生じやすくなる。また、使用者が仰向けで寝ている場合には、微妙な体の傾きにより、第１〜第３袋状空間Ｓ１〜Ｓ３に沿うように延びる隆起部８と使用者との間に隙間が生じる可能性がある。したがって、例えば、図１における感圧センサー１１の右側に重点的に体圧がかかっていると感圧センサー１１が検出すると、使用者との間に隙間が生じやすい隆起部８に隣接する第１袋状空間Ｓ１及び第３袋状空間Ｓ３に空気を供給する。また、図１における感圧センサー１１の左側に重点的に体圧がかかっていると感圧センサー１１が検出すると、使用者との間に隙間が生じやすい隆起部８に隣接する第２袋状空間Ｓ２及び第３袋状空間Ｓ３に空気を供給する。更に、感圧センサー１１の中央部分に重点的に体圧がかかっていると感圧センサー１１が検出すると、使用者との間に隙間が生じやすい隆起部８に隣接する第１〜第３袋状空間Ｓ１〜Ｓ３に空気を供給する。よって、第１〜第３袋状空間Ｓ１〜Ｓ３によって、使用者と隆起部８との間の隙間を埋めることが可能となり、隙間から排泄物が漏れるのを抑制することができる。第１〜第３袋状空間Ｓ１〜Ｓ３を有するエアークッション部材９は、図２に示すように後身頃５ｂ及び股部５ｃに形成される隆起部８に沿うように位置するため、排泄物が漏れやすい箇所にエアークッション部材９が位置する。そのため、排泄物の漏れを効果的に抑制することが可能となる。また、エアークッション部材９は、第１〜第３袋状空間Ｓ１〜Ｓ３に区画され、各袋状空間Ｓ１〜Ｓ３に対して個別に空気の供給が制御される。よって、排泄物が漏れる可能性が高い隆起部８に隣接する袋状空間Ｓ１〜Ｓ３に重点的に空気を供給することで、排泄物の漏れをより効果的に抑制可能となる。また、各袋状空間Ｓ１〜Ｓ３は、供給される空気により、隆起部８が隆起する高さ以上に膨出する。そのため、本体部２を装着した使用者の姿勢により、隆起部８と使用者との間に排泄物が漏れる隙間が仮に生じたとしても、第１〜第３袋状空間Ｓ１〜Ｓ３により隙間を埋めやすくなる。
【００３０】
ここで、本実施形態と特許請求の範囲に記載の文言との対応関係を説明する。本実施形態の排泄物処理装置１が排泄物処理装置に相当する。同様に本体部２が本体部、隆起部８が第１及び第２隆起部、エアークッション部がエアークッション部材９、検出部が感圧センサー１１、制御部が制御装置４、に相当する。
【００３１】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００３２】
図２に示すように、上記では、隆起部８に隣接するように配置されたエアークッション部材９を例示して説明した。図４に示すように、エアークッション部材１０９としては、図４に示すように、隣接する袋状空間Ｓ１、Ｓ３に互いに引っ掛かる、又は嵌り込むように構成されてもよい。これにより、隣接する袋状空間Ｓ１、Ｓ３の境界まで空気を供給でき、隣接する袋状空間Ｓ１〜Ｓ３の境界から排泄物が漏れるのを抑制可能となる。なお、上記では、エアークッション部材９を３つの袋状空間Ｓ１〜Ｓ３に区画したが、２つに区画しても良いし、４つ以上に区画しても良い。２つに区画することで空気を供給等する制御が容易になる。４つ以上に区画することで、使用者の姿勢に細かく対応したエアークッション部材の制御が可能となる。また、使用者の寝姿勢（感圧センサー１１による体圧分布に）応じて袋状空間Ｓ１〜Ｓ３毎に供給する空気量を均一にしても、不均一にしてもよい。
【００３３】
上記では、図２に示すように隆起部８の外側に沿うようにエアークッション部材９を配置する例を示した。エアークッション部材９に加えて、隆起部８の内部にエアークッション部材を設けてもよい。隆起部８の内部のエアークッション部材は、エアークッション部材９と同様に、エアークッション部材９に沿って第１〜第３袋状区画Ｓ１〜Ｓ３を形成し、エアークッション部材９と同様に空気の供給等を制御してもよい。これにより、使用者の寝姿勢による隆起部８の変形を抑制でき、エアークッション部材９との相乗効果により、排泄物の漏れを抑制できる。
【００３４】
上記では、感圧センサー１１が検出した体圧分布は、コネクタを通じて制御装置４に送信される例を示したが、体圧分布は無線通信装置を通じて制御装置４に送信してもよい。
【００３５】
上記では、面ファスナー１０ａにより帯本体１０の両端部を前身頃５ａの面ファスナーＦに固定する例を示した。長い帯本体１０を用いて、帯本体１０を使用者の腰に巻き付けた上で、使用者のお腹の上で、帯本体１０の一端部を他端部に重ねるようにし、帯本体１０の一端部と他端部が折り重なるようにして面ファスナーで本体部２を使用者に固定してもよい。また、本体部２と使用者とを固定する帯状部材３を使用者に更に固定するための固定部材を設けても良い。固定部材としては、面ファスナーを用いて帯状部材３と本体部２とを固定するものでもよい。
【００３６】
上記では、帯状部材３を本体部２に取り付ける例を説明したが、帯状部材３を本体部２に一体にして形成してもよい。
【００３７】
上記では、使用者の体圧を検出する検出部として、帯状部材３の感圧シート１１を例示した。検出部としては、使用者が寝ているベッドなどに感圧シート１１を配置してもよい。ベッドに配置した感圧シート１１が検出して体圧分布に基づいて（体圧分布から使用者の寝姿を推測し）、エアークッション部材９に供給する空気を制御してもよい。
【００３８】
なお、エアークッション部材９に供給する空気は、本体部２を使用者に装着した後に供給することで、エアークッション部材９により隆起部８が使用者に密着しなくなるのを抑制できる。
【符号の説明】
【００３９】
１        排泄物処理装置              ２        本体部
３        帯状部材                    ４        制御装置
５        装着部材                    ５ａ      前身頃
５ｂ      股部                        ５ｃ      後身頃
６        処理部                      ６ａ      収容容器
７        支持部材                    ８        隆起部
８ａ      前隆起部                    ８ｂ      股隆起部
８ｃ      後隆起部                    ９        エアークッション部材
１０      帯本体                      １１      感圧センサー
【要約】
【課題】排泄物が漏れるのを抑制可能な排泄物処理装置を提供することにある。
【解決手段】
人体から排泄される排泄物を処理する排泄物処理装置１である。排泄物処理装置１は、
人体の臀部側から股間を経て下腹部に向かうとともに、肛門及び外性器を覆うように広がって装着される本体部２と、本体部２から人体に向けて隆起する隆起部８と、隆起部８の少なくとも一部に沿うように隣接して位置し、外部から供給される空気により膨出可能なエアークッション部材９と、人体の体圧を検出する感圧センサー１１と、感圧センサー１１が検出する体圧に応じてエアークッション部材９に供給する空気を制御する制御装置４と、を備える。
【選択図】図１【図１】
0006944166.tif 000002
【図２】
0006944166.tif 000003
【図３】
0006944166.tif 000004
【図４】
0006944166.tif 000005